(57)【要約】【課題】一方の装置が他方の装置に依存して片道遅延時間の測定がなされることがなく、音声コーデックにおける伝送遅延を含んだエンド・エンド間の片道遅延時間測定方法及び片道遅延時間測定装置を提供することを目的とする。【解決手段】公衆電話網１５を介してアナログ信号の通信を行う通信端末１６、１９間における片道遅延時間測定方法であって、通信端末のそれぞれから、測定用アナログ信号を送信する送信ステップと、通信端末のそれぞれで、相手の測定用アナログ信号を受信する受信ステップと、通信端末のそれぞれにおいて、測定用アナログ信号を送信してから、相手の測定用アナログ信号を受信する迄の時間を計測する計測ステップと、計測ステップにおいて、通信端末のそれぞれで計測された時間をΔｔ１及びΔｔ２とするとき、ｔｄ＝（Δｔ１＋Δｔ２）／２により、通信端末間の片道遅延時間ｔｄを求める片道遅延時間測定方法である。【選択図】        図５
2004221764.tif 000002
【特許請求の範囲】
【請求項１】
公衆電話網を介してアナログ信号の通信を行う通信端末間における片道遅延時間測定方法において、
前記通信端末のそれぞれから、測定用アナログ信号を送信する送信ステップと、
前記通信端末のそれぞれで、相手の測定用アナログ信号を受信する受信ステップと、
前記通信端末のそれぞれにおいて、測定用アナログ信号を送信してから、相手の測定用アナログ信号を受信する迄の時間を計測する計測ステップと、
前記計測ステップにおいて、前記通信端末のそれぞれで計測された時間をΔｔ１及びΔｔ２とするとき、
ｔｄ＝（Δｔ１＋Δｔ２）／２
を計算して、前記通信端末間の片道遅延時間ｔｄを求める計算ステップとを有することを特徴とする片道遅延時間測定方法。
【請求項２】
デジタル信号をスイッチングするデジタル信号交換網を介してアナログ信号の通信を行う第１の通信端末及び第２の通信端末間における前記デジタル信号交換網の片道遅延時間測定方法において、
前記第１の通信端末が、前記第２の通信端末に、公衆電話網を介して、測定用アナログ信号を送信する第１の送信ステップと、
前記第２の通信端末が、前記第１の通信端末に、前記デジタル信号交換網を介して、測定用アナログ信号を送信する第２の送信ステップと、
前記第１の通信端末が、前記デジタル信号交換網を経由した、前記第２の通信端末からの測定用アナログ信号を受信する第１の受信ステップと、
前記第２の通信端末が、前記公衆電話網を経由した、前記第１の通信端末からの測定用アナログ信号を受信する第２の受信ステップと、
前記第１の通信端末及び前記第２の通信端末のそれぞれにおいて、測定用アナログ信号を送信してから、相手の測定用アナログ信号を受信する迄の時間を計測する計測ステップと、
前記計測ステップにおいて、第１の通信端末で計測された時間をΔｔ３とし、第２の通信端末で計測された時間をΔｔ４とし、さらに、前記第１の通信端末及び前記第２の通信端末間における前記公衆電話網の片道遅延時間をｔｄとするとき、
ΔＴ２１＝Δｔ３＋Δｔ４−Δｔｄ
を計算して、前記第２の通信端末から前記第１の通信端末方向の、前記第１の通信端末及び前記第２の通信端末間における前記デジタル信号交換網の片道遅延時間ΔＴ２１を求める計算ステップとを有することを特徴とする片道遅延時間測定方法。
【請求項３】
前記公衆電話網に代えて、前記第１の通信端末及び前記第２の通信端末間におけるネットワークの片道遅延時間が既知のネットワークを用いることを特徴とする請求項記載２の片道遅延時間測定方法。
【請求項４】
前記測定用アナログ信号は、トーンバースト波形であることを特徴とする請求項１ないし３いずれか一項記載の片道遅延時間測定方法。
【請求項５】
片道遅延時間測定用信号を生成する発振器、オシロスコープ、前記発振器が生成した片道遅延時間測定用信号を送信するとき閉成される送信スイッチ、前記発振器の出力を前記オシロスコープに折り返すとき閉成される折り返しスイッチ及び相手側の測定用信号を受信するとき閉成される受信スイッチを有し、
前記オシロスコープは、折り返された測定用信号及び受信した相手側の測定用信号を、送信した時間及び受信した時間が比較し得るよう、時間軸上に、並べて、表示することを特徴とする片道遅延時間測定装置。
【請求項６】
前記片道遅延時間測定用信号は、トーンバースト波形であることを特徴とする請求項４記載の片道遅延時間測定装置。
【発明の詳細な説明】
【０００１】
【発明の属する技術分野】
本発明は、片道遅延時間測定方法及び片道遅延時間測定装置に関する。
【０００２】
【従来の技術】
ＤＳＬ等のアクセス回線のブロードバンド化に伴い、ＩＰ（ＩＮＴＥＲＮＥＴ
ＰＲＯＴＯＣＯＬ）網を利用したＩＰ電話が、注目されている。
【０００３】
ＩＰ電話とは、ネットワークの一部又は全部において、ＩＰネットワーク技術を利用して提供される音声電話サービスである。
【０００４】
図１に、ＩＰ電話システムの例を示す。図１のＩＰ電話システムは、電話機（ＴＥＬ）１、１１、ファクシミリ（ＦＡＸ）２、１２、電話機及びファクシミリ等の通信機器を収容する宅内交換機（ＰＢＸ）４、８、宅内交換機とＩＰネットワークとのインタフェースを司るＶｏＩＰ（Ｖｏｉｃｅ  ｏｖｅｒ  ＩＰ）ゲートウエイ（ＧＷ）５、８、ＩＰネットワークにおけるルーティングを司るルータ５、７、電話番号とインターネットのアドレスとの対応関係を管理するゲートキーパ６、ＩＰネットワーク１０から構成されている。
【０００５】
なお、各ＶｏＩＰゲートウエイが、ゲートキーパの機能を有するようにしてもよい。
【０００６】
ここで、電話機１から電話機１１へ、電話をかける場合について説明する。電話機１のユーザが、インターネットを利用して電話しようとして、特定の電話番号をダイヤルする。例えば、「０５０−××××××××」をダイヤルする。ＰＢＸ４は、その「０５０」に基づいて、電話機１からの発呼がＩＰ電話であることを認識して、ＶｏＩＰゲートウエイ４に接続する。ＶｏＩＰゲートウエイ４は、ダイヤルされた上記「××××××××」から、通信相手の電話番号を確認して、ＩＰアドレスをゲートキーパ６に、相手先のダイヤル番号に対応するＩＰアドレスを問い合わせる。その後、ＶｏＩＰゲートウエイ４は、相手先のダイヤル番号に対応するＩＰアドレスをゲートキーパ６から得ると、ＶｏＩＰゲートウエイ４は、相手のＶｏＩＰゲートウエイ８との間で、ＩＰコネクションを設定するための手順を実行する。その結果、ＶｏＩＰゲートウエイ４−ルータ５−ＩＰネットワーク１０−ルータ７−ＶｏＩＰゲートウエイ８でコネクションが確立する。一方、ＶｏＩＰゲートウエイ８とで着信電話機１１との間での接続も行われるので、発信電話機１−宅内交換機３−ＶｏＩＰゲートウエイ４−ルータ５−ＩＰネットワーク１０−ルータ７−ＶｏＩＰゲートウエイ８−宅内交換機９−着信電話機１１のルートでコネクションが設定されることとなる。
【０００７】
その後、ＶｏＩＰゲートウエイ４は、電話機１からの音声信号をパケット化して、ルータ５を介して、ＩＰネットワーク１０に送信する。このパケット化された音声データは、ＩＰネットワーク１０、ルータ７を介して、通信相手のＶｏＩＰゲートウエイ８に伝送される。ＶｏＩＰゲートウエイ８は、受信した音声パケットから音声信号を生成し、この音声信号は、宅内交換機９を介して着信電話機１１に送信される。なお、ＶｏＩＰゲートウエイ４、８間では、例えば、ＲＴＰ（Ｒｅａｌｔｉｍｅ  Ｔｒａｎｓｐｏｒｔ  Ｐｒｏｔｃｏｌ）を使って、音声パケットの転送が行われる。
【０００８】
ところで、図１のＩＰ電話システムの伝送において、各種伝送遅延が発生する。例えば、ＶｏＩＰゲートウエイ４では、音声データを圧縮するのに約４０ｍｓ、音声データをパケット化するのに数ｍｓの遅延が発生する。また、ルータ５では、パケットの分割及び優先制御処理により、最大約２００ｍｓの遅延が発生する。また、ＩＰネットワーク１０では、約１０ｍｓの伝送遅延が発生し、ルータ７では、数ｍｓの伝送待ちが発生する。また、ＶｏＩＰゲートウエイ８では、音声データの伸張に数ｍｓ、ネットワークの揺らぎを吸収するのに約２００ｍｓの遅延が発生する。なお、「ネットワークの揺らぎ」は、受信側における、パケットの到達時間が不安定な状態を意味し、受信側では、到達したパケットを一定時間蓄積してから再生する必要がある。この一定時間蓄積してから再生するのに要する時間が、ネットワークの揺らぎを吸収するに必要な時間である。
【０００９】
また、「ＩＰネットワーク技術に関する研究会報告書」によれば、ＩＰ電話の品質クラスが、図２に示すように定められている。これによれば、総合音声伝送品質率（Ｒ値）が、固定電話並の通信品質であるクラスＡ、携帯電話並の通信品質であるクラスＢ及びクラスＣについて、次のように定められている。
【００１０】
クラスＡ：Ｒ＞８０
クラスＢ：８０≧Ｒ＞７０
クラスＣ：７０≧Ｒ＞５０
また、エンドトゥエンドの遅延についても、次のように定められている。
【００１１】
クラスＡ：遅延＜１００ｍｓ
クラスＢ：１００ｍｓ≦遅延＜１５０ｍｓ
クラスＣ：１５０ｍｓ≦遅延＜４００ｍｓ
また、総合音声伝送品質率（Ｒ値）は、コーデックの種類と片道遅延時間により規定されることが知られている。
【００１２】
ところで、ネットワークにおける片道遅延時間の測定方法として、特許文献１に記載されている「時刻同期方式」には、応答信号に基づいて、片道遅延時間を測定する方法が示されている。
【００１３】
図４を用いて、特許文献１における片道遅延時間を測定する方法を説明する。親局ａは子局ｂに備えられた信号受信時間カウンタ１０のカウント動作を制御するためのカウント制御信号を子局ｂへ送出する。このカウント制御信号を時刻Ｔ１  で送出すると同時に、親局ａは信号送出時間カウンタ９のカウント動作を開始する。一方、子局ｂが親局ａからのカウント制御信号を受信すると、信号受信時間カウンタ１０はカウント動作を開始する。この子局ｂが親局ａへ応答信号を送ると、信号受信時間カウンタ１０のカウント動作は終了する。この時子局ｂは、信号受信時間カウンタ１０が示している信号受信時間すなわち“ｔｒ”を応答信号とともに親局ａへ返す。子局ｂからの応答信号を受信すると、親局ａは信号送出時間カウンタ９のカウント動作を終了する。この時、信号送出時間カウンタ９は信号送出時間すなわち“ｔｓ”を示している。
【００１４】
親局ａでの信号送出時間“ｔｓ”及び子局ｂからの信号受信時間“ｔｒ”は、遅延時間算出回路８に送られる。
【００１５】
ところで、公衆電話回線の伝送特性の双方向性は、非特許文献１又は非特許文献２により実証さているので、遅延時間算出回路８は、以下の式（１）によって親局ａがカウント制御信号の送出を開始してから子局ｂがカウント制御信号を受信するまでの遅延時間すなわち“ｔｄ”を算出する。
【００１６】
ｔｄ＝（ｔｓ−ｔｒ）／２・・・・・・（１）
また、ネットワークにおける片道遅延時間の測定方法として、特許文献２には、折り返し信号に基づいて、片道遅延時間を測定する方法が示されている。
【００１７】
図４を用いて、特許文献２における片道遅延時間を測定する方法を説明する。主局３０の遅延時間算出回路３１からの指示に応じて、送信機３３から従局３５に対して遅延時間を測定するための所定の信号を送出する。この信号は、時間ｔＡを要して従局３５の受信機３６で受信され、時間ｔＬＰを要して送信機３８から主局３０に折り返し送信される。この場合、従局３５のカウンタ３７により、従局３５の受信機３６にて信号が受信されてから、送信機３８にて信号が送信されるまでの処理時間ｔＬＰが測定される。従局３５から折り返し送信された信号は、時間ｔＢを要して主局３０の受信機３４で受信される。一方、カウンタ３２にて、遅延時間を測定するための所定の信号が、主局３０の送信機３３から従局３５を経由して受信機３４で受信されるのに要する時間ｔＡＢが測定される。これら測定された時間ｔＬＰ及び時間ｔＡＢに基づいて、遅延時間計算回路３１により、主局３０及び従局３５との間の遅延時間ｔｄが計算される。
【００１８】
ところで、時間ｔＡＢ、ｔＡ、ｔＢ、ｔＬＰは、図４（Ｂ）に示すように、ｔＡＢ＝ｔＡ＋ｔＢ＋ｔＬＰであり、遅延時間ｔＡ、ｔＢが等しいと仮定して、
ｔｄ（＝ｔＡ＝ｔＢ）＝（ｔＡＢ−ｔＬＰ）／２・・・・・（２）
により、主局３０及び従局３５との間の遅延時間ｔｄが算出される。
【００１９】
【特許文献１】
特開平５−１６１１８１号公報
【００２０】
【特許文献２】
特開平９−５５７４０号公報
【００２１】
【非特許文献１】
相田  政則  外２名「電話回線による精密時刻比較」電波研究季報  １９８５、Ｖｏｌ３１、Ｎｏ．１６０．Ｐ１１５〜Ｐ１２４
【００２２】
【非特許文献２】
森谷  中宣  外３名「公衆通信回線による標準時供給システム」日本時計学会  １９９２、Ｎｏ．１４２．Ｐ１〜Ｐ１６
【００２３】
【発明が解決しようとする課題】
しかしながら、特許文献１及び特許文献２に記載されている片道遅延時間の測定方法では、送信機及び受信機間の片道遅延時間であり、測定された遅延時間には、ＶｏＩＰゲートウエイにおける音声データの圧縮処理、音声データのパケット処理の遅延等の遅延が含まれていないという問題がある。
【００２４】
また、特許文献１に記載されている片道遅延時間の測定方法では、応答信号に基づいて、片道遅延時間を測定しているので、一方の装置が他方の装置に依存し、一方の装置における測定における自由度が少ないという問題があり、特許文献２に記載されている片道遅延時間の測定方法では、折り返し信号に基づいて、片道遅延時間を測定しているので、電話回線の発振・鳴音などにより不安定な状態になり測定条件が悪化するという問題がある。
【００２５】
本発明は、上記問題に鑑みなされたものであり、一方の装置が他方の装置に依存して片道遅延時間の測定がなされることがなく、音声コーデックにおける伝送遅延を含んだエンド・エンド間の片道遅延時間測定方法及び片道遅延時間測定装置を提供することを目的とする。
【００２６】
【課題を解決するための手段】
上記課題を解決するために、本件発明は、以下の特徴を有する課題を解決するための手段を採用している。
【００２７】
請求項１に記載された発明は、公衆電話網を介してアナログ信号の通信を行う通信端末間における片道遅延時間測定方法において、前記通信端末のそれぞれから、測定用アナログ信号を送信する送信ステップと、前記通信端末のそれぞれで、相手の測定用アナログ信号を受信する受信ステップと、前記通信端末のそれぞれにおいて、測定用アナログ信号を送信してから、相手の測定用アナログ信号を受信する迄の時間を計測する計測ステップと、前記計測ステップにおいて、前記通信端末のそれぞれで計測された時間をΔｔ１及びΔｔ２とするとき、ｔｄ＝（Δｔ１＋Δｔ２）／２を計算して、前記通信端末間の片道遅延時間ｔｄを求める計算ステップとを有することを特徴とする。
【００２８】
請求項１に記載された発明によれば、公衆電話網を介してアナログ信号の通信を行う通信端末のそれぞれから測定用アナログ信号を送信し、通信端末のそれぞれにおいて相手の測定用アナログ信号を受信し、通信端末のそれぞれにおいて測定用アナログ信号を送信してから相手の測定用アナログ信号を受信する迄の時間を計測する計測し、通信端末のそれぞれで計測された時間をΔｔ１及びΔｔ２とするとき、ｔｄ＝（Δｔ１＋Δｔ２）／２を計算して、通信端末間の公衆電話網における片道遅延時間ｔｄを求めることにより、一方の装置が他方の装置に依存して片道遅延時間の測定がなされることがない片道遅延時間測定方法を提供することができる。
【００２９】
請求項２に記載された発明は、デジタル信号をスイッチングするデジタル信号交換網を介してアナログ信号の通信を行う第１の通信端末及び第２の通信端末間における前記デジタル信号交換網の片道遅延時間測定方法において、前記第１の通信端末が、前記第２の通信端末に、公衆電話網を介して、測定用アナログ信号を送信する第１の送信ステップと、前記第２の通信端末が、前記第１の通信端末に、前記デジタル信号交換網を介して、測定用アナログ信号を送信する第２の送信ステップと、前記第１の通信端末が、前記デジタル信号交換網を経由した、前記第２の通信端末からの測定用アナログ信号を受信する第１の受信ステップと、前記第２の通信端末が、前記公衆電話網を経由した、前記第１の通信端末からの測定用アナログ信号を受信する第２の受信ステップと、前記第１の通信端末及び前記第２の通信端末のそれぞれにおいて、測定用アナログ信号を送信してから、相手の測定用アナログ信号を受信する迄の時間を計測する計測ステップと、前記計測ステップにおいて、第１の通信端末で計測された時間をΔｔ３とし、第２の通信端末で計測された時間をΔｔ４とし、さらに、前記第１の通信端末及び前記第２の通信端末間における前記公衆電話網の片道遅延時間をｔｄとするとき、ΔＴ２１＝Δｔ３＋Δｔ４−Δｔｄを計算して、前記第２の通信端末から前記第１の通信端末方向の、前記第１の通信端末及び前記第２の通信端末間における前記デジタル信号交換網の片道遅延時間ΔＴ２１を求める計算ステップとを有することを特徴とする片道遅延時間測定方法。
【００３０】
請求項２に記載された発明によれば、第１の通信端末が第２の通信端末に、公衆電話網を介して測定用アナログ信号を送信し、第２の通信端末が第１の通信端末にデジタル信号交換網を介して測定用アナログ信号を送信し、第１の通信端末がデジタル信号交換網を経由した第２の通信端末からの測定用アナログ信号を受信し、第２の通信端末が公衆電話網を経由した第１の通信端末からの測定用アナログ信号を受信し、第１の通信端末及び第２の通信端末のそれぞれにおいて測定用アナログ信号を送信してから相手の測定用アナログ信号を受信する迄の時間を計測し、計測ステップにおいて、第１の通信端末で計測された時間をΔｔ３とし、第２の通信端末で計測された時間をΔｔ４とし、さらに、第１の通信端末及び前記第２の通信端末間における公衆電話網の片道遅延時間をｔｄとするとき、ΔＴ２１＝Δｔ３＋Δｔ４−Δｔｄを計算して、第２の通信端末から前記第１の通信端末方向の、第１の通信端末及び第２の通信端末間におけるデジタル信号交換網の片道遅延時間ΔＴ２１を求めることにより、音声コーデックにおける伝送遅延を含んだエンド・エンド間の片道遅延時間測定方法を提供することができる。
【００３１】
請求項３に記載された発明は、請求項記載２の片道遅延時間測定方法において、前記公衆電話網に代えて、前記第１の通信端末及び前記第２の通信端末間におけるネットワークの片道遅延時間が既知のネットワークを用いることを特徴とする。
【００３２】
請求項３に記載された発明によれば、音声コーデックにおける伝送遅延を含んだエンド・エンド間の片道遅延時間測定方法を提供することができる。
【００３３】
請求項４に記載された発明は、請求項１ないし３いずれか一項記載の片道遅延時間測定方法において、前記測定用アナログ信号は、トーンバースト波形であることを特徴とする。
【００３４】
請求項４に記載された発明によれば、測定用アナログ信号は、トーンバースト波形であるので、通信端末のそれぞれにおいて測定用アナログ信号を送信してから相手の測定用アナログ信号を受信する迄の時間を、オシロスコープを用いて、容易に計測することができる。
【００３５】
請求項５に記載された発明は、片道遅延時間測定用信号を生成する発振器、オシロスコープ、前記発振器が生成した片道遅延時間測定用信号を送信するとき閉成される送信スイッチ、前記発振器の出力を前記オシロスコープに折り返すとき閉成される折り返しスイッチ及び相手側の測定用信号を受信するとき閉成される受信スイッチを有し、前記オシロスコープは、折り返された測定用信号及び受信した相手側の測定用信号を、送信した時間及び受信した時間が比較し得るよう、時間軸上に、並べて、表示することを特徴とする片道遅延時間測定装置である。
【００３６】
請求項６に記載された発明は、請求項５記載の片道遅延時間測定装置において、前記片道遅延時間測定用信号は、トーンバースト波形であることを特徴とする。
【００３７】
請求項５又は６に記載された発明によれば、一方の装置が他方の装置に依存して片道遅延時間の測定がなされることがなく、音声コーデックにおける伝送遅延を含んだエンド・エンド間の片道遅延時間を測定する片道遅延時間測定装置を提供することができる。
【００３８】
【発明の実施の形態】
次に、本発明の実施の形態について図面と共に説明する。
（実施例１）
実施例１は、公衆回線網の片道遅延時間を測定する方法である。図５に、実施例１の測定方法が適用されるシステムを示す。図５のシステムは、電話機１６、宅内交換機１７、公衆回線網１５、宅内交換機１８及び電話機１９から構成されている。実施例１は、図５のシステムにおいて、電話機１６と電話機１９間の片道遅延時間を測定する方法である。
【００３９】
図６を用いて測定原理を説明する。図６（Ａ）は、電話機１９側で測定用アナログ信号を受信してから、相手の測定用アナログ信号を送信した場合であり、図６（Ｂ）は、電話機１９側で相手の測定用アナログ信号を送信してから、相手の測定用アナログ信号を受信した場合である。
電話機１６側における処理
▲１▼電話機１６側から、測定用アナログ信号を送信する。
【００４０】
▲２▼電話機１６側で、相手電話機１９が送信した測定用アナログ信号を受信する。
【００４１】
▲３▼測定用アナログ信号を送信してから、相手の測定用アナログ信号を受信する迄の時間を計測する。この計測時間をΔｔ１とする。
電話機１９側における処理
▲４▼電話機１９側から、測定用アナログ信号を送信する。
【００４２】
▲５▼電話機１９側で、相手電話機１６が送信した測定用アナログ信号を受信する。
【００４３】
▲６▼測定用アナログ信号を送信してから、相手の測定用アナログ信号を受信する迄の時間を計測する。この計測時間をΔｔ２とする。
【００４４】
なお、計測時間は、測定用アナログ信号を送信してから、相手の測定用アナログ信号を受信する迄の時間を正の値とする。従って、相手の測定用アナログ信号を受信してから送信する場合は、負の値となる。
【００４５】
また、図では、電話機１６から電話機１９への方向の伝送遅延をΔｔａｂとし、電話機１９から電話機１６への方向の伝送遅延をΔｔｂａとしている。しかしながら、上述した公衆電話回線の伝送特性の双方向性により、Δｔａｂ＝Δｔｂａと見なすことができる。
【００４６】
そこで、図６から明らかなように、通信端末間の片道遅延時間ｔｄを次式により求める。
【００４７】
ｔｄ＝（Δｔ１＋Δｔ２）／２・・・・・（３）
なお、片道遅延時間ｔｄ＝片道遅延時間Δｔａｂ＝片道遅延時間Δｔｂａである。
（実施例２）
実施例２は、実施例１で計測された公衆回線網の片道遅延時間を用いて、被測定回線であるＩＰネットワークの片道遅延時間を測定する方法である。図７に、実施例２の測定方法が適用されるシステムを示す。図７のシステムは、拠点Ａ側装置４０、拠点Ｂ側装置５０、公衆回線網１５及びＩＰネットワーク６０から構成されている。また、拠点Ａ側装置４０は、電話機４１、宅内交換機４２、ＶｏＩＰゲートウエイ４３及びルータ４４を有し、拠点Ｂ側装置５０は、電話機５１、宅内交換機５２、ＶｏＩＰゲートウエイ５３及びルータ５４を有している。
【００４８】
なお、ＩＰネットワーク１０は、デジタル信号をスイッチングするデジタル信号交換網であるが、デジタル信号には、コード化されたアナログ信号も含むので、ＩＰネットワーク１０は、コード化されたアナログ信号をスイッチングするネットワークともいえる。また、電話機４１と電話機５１は、拠点Ａ側装置と拠点Ｂ側装置におけるＶｏＩＰゲートウエイ等によりインタフェースがとられて、デジタル信号をスイッチングするデジタル信号交換網を介して、音声信号の通信を行う通信端末である。
【００４９】
ところで、公衆回線網に対して、測定信号は、宅内交換機４２又は宅内交換機５２から、直接、公衆回線網に供給される。この場合は、受信した測定信号は、直接、宅内交換機５２又は宅内交換機４２に供給される。一方、ＩＰネットワークに対しては、測定信号は、拠点Ａ側装置４０及び拠点Ｂ側装置５０のそれぞれのルータから送信され、この測定信号を拠点Ａ側装置４０及び拠点Ｂ側装置５０のそれぞれのルータが受信する。なお、測定信号は、音響カプラを用いて、電話機に印加するようにしてもよいし、直接、宅内交換機４２又はＶｏＩＰゲートウエイ４３に印加するようにしてもよい。測定信号を、直接、宅内交換機４２又はＶｏＩＰゲートウエイ４３に印加する場合は、受信した測定信号は、直接、宅内交換機４２又はＶｏＩＰゲートウエイ４３に供給する。
【００５０】
拠点Ａ側装置４０からの測定信号は、公衆回線網１５を介して拠点Ｂ側装置５０に送信され、この測定信号を拠点Ｂ側装置５０で受信する。また、拠点Ｂ側装置５０からの測定信号は、ＩＰネットワーク６０を介して拠点Ａ側装置４０に送信され、この測定信号を拠点Ａ側装置４０で受信する。
【００５１】
実施例２は、図７のシステムにおいて、実施例１で計測された公衆回線網の片道遅延時間（Δｔａｂ）を用いて、電話機５１から電話機４１に向かう方向のＩＰネットワーク６０の片道遅延時間（ΔＴｂａ）を測定する方法である。
【００５２】
図８を用いて測定原理を説明する。図８（Ａ）は、拠点Ｂ側装置で測定用アナログ信号を受信してから、相手の測定用アナログ信号を送信した場合であり、図８（Ｂ）は、拠点Ｂ側装置で相手の測定用アナログ信号を送信してから、測定用アナログ信号を受信した場合である。
（１）拠点Ａ側装置における処理
▲１▼電話機４１から、公衆回線網１５を介して、測定用アナログ信号を相手電話機５１に送信する。
【００５３】
▲２▼電話機４１で、相手電話機５１が送信した測定用アナログ信号を受信する。
【００５４】
▲３▼測定用アナログ信号を送信してから、相手の測定用アナログ信号を受信する迄の時間を計測する。この計測時間をΔｔ３とする。
（２）拠点Ｂ側装置における処理
▲４▼電話機５１から、ＩＰネットワーク６０を介して、測定用アナログ信号を相手電話機４１へ送信する。
【００５５】
▲５▼電話機５１で、相手電話機４１が送信した測定用アナログ信号を受信する。
【００５６】
▲６▼測定用アナログ信号を送信してから、相手の測定用アナログ信号を受信する迄の時間を計測する。この計測時間をΔｔ４とする。
【００５７】
また、図では、電話機４１から電話機５１への方向の公衆回線網１５における伝送遅延をΔｔａｂとし、電話機５１から電話機４１への方向のＩＰネットワーク６０における伝送遅延をΔＴｂａとしている。
【００５８】
そこで、図８から明らかなように、電話機５１から電話機４１への方向のＩＰネットワーク６０における電話機５１と電話機４１間の伝送遅延であるΔＴｂａを次式により求める。
【００５９】
ΔＴｂａ＝Δｔ３＋Δｔ４−Δｔａｂ・・・・・（４）
（実施例３）
実施例３は、実施例１で計測された公衆回線網の片道遅延時間を用いて、実施例２で測定されていない被測定回線であるＩＰネットワークの他の片道遅延時間を測定する方法である。図９に、実施例３の測定方法が適用されるシステムを示す。図９のシステムは、実施例２と同様に、拠点Ａ側装置４０、拠点Ｂ側装置５０、公衆回線網１５及びＩＰネットワーク６０から構成されている。また、実施例２と同様に、拠点Ａ側装置４０及び拠点Ｂ側装置は、電話機、宅内交換機、ＶｏＩＰゲートウエイ及びルータを有している。
【００６０】
拠点Ｂ側装置５０からの測定信号は、公衆回線網１５を介して拠点Ａ側装置４０に送信され、この測定信号を拠点Ａ側装置４０で受信する。また、拠点Ａ側装置４０からの測定信号は、ＩＰネットワーク６０を介して拠点Ｂ側装置５０に送信され、この測定信号を拠点Ｂ側装置５０で受信する。
【００６１】
なお、測定信号は、実施例２と同様に、公衆回線網に対しては、宅内交換機４２又は宅内交換機５２から、直接、公衆回線網に供給される。ＩＰネットワークに対しては、測定信号は、実施例２と同様に、音響カプラを用いて、電話機に印加するようにしてもよいし、直接、宅内交換機４２又はＶｏＩＰゲートウエイ４３に印加するようにしてもよい。
【００６２】
実施例３は、図９のシステムにおいて、実施例１で計測された公衆回線網の片道遅延時間（Δｔｂａ）を用いて、電話機４１から電話機５１に向かう方向のＩＰネットワーク６０の片道遅延時間（ΔＴａｂ）を測定する方法である。
【００６３】
図１０を用いて測定原理を説明する。図１０（Ａ）は、拠点Ａ側装置で測定用アナログ信号を受信してから、相手の測定用アナログ信号を送信した場合であり、図１０（Ｂ）は、拠点Ａ側装置で相手の測定用アナログ信号を送信してから、測定用アナログ信号を受信した場合である。
点Ｂ側装置における処理
▲１▼電話機５１から、公衆回線網１５を介して、測定用アナログ信号を、相手電話機４１に送信する。
【００６４】
▲２▼電話機５１で、相手電話機４１が送信した測定用アナログ信号を受信する。
【００６５】
▲３▼測定用アナログ信号を送信してから、相手の測定用アナログ信号を受信する迄の時間を計測する。この計測時間をΔｔ５とする。
拠点Ａ側装置における処理
▲４▼電話機４１から、ＩＰネットワーク６０を介して、測定用アナログ信号を相手電話機５１へ送信する。
【００６６】
▲５▼電話機４１で、相手電話機５１が送信した測定用アナログ信号を受信する。
【００６７】
▲６▼測定用アナログ信号を送信してから、相手の測定用アナログ信号を受信する迄の時間を計測する。この計測時間をΔｔ６とする。
【００６８】
また、図では、電話機５１から電話機４１への方向の公衆回線網１５における伝送遅延をΔｔｂａとし、電話機４１から電話機５１への方向のＩＰネットワーク６０における伝送遅延をΔＴａｂとしている。
【００６９】
そこで、図１０から明らかなように、電話機４１から電話機５１への方向のＩＰネットワーク６０における電話機４１と電話機５１間の伝送遅延であるΔＴａｂを次式により求める。
【００７０】
ΔＴａｂ＝Δｔ５＋Δｔ６−Δｔｂａ・・・・・（５）
なお、実施例３において、電話機５１から電話機４１への方向のＩＰネットワーク６０における電話機４１と電話機５１間の伝送遅延ΔＴｂａが既に求められていれば、図９の公衆回線網に代えて、ＩＰネットワークを用いることができる。
【００７１】
この場合は、電話機４１と電話機５１間の伝送遅延であるΔＴａｂを次式により求める。
【００７２】
ΔＴａｂ＝Δｔ５＋Δｔ６−ΔＴｂａ・・・・・（６）
（測定装置）
図１１に本実施例における測定装置のブロック図の例を示す。図１１のブロック図は、発振器７１及び８１、送話回路７２、７５、８２及び８５、受話回路７３、７６、８３及び８６並びにオシロスコープ７４及び８４から構成されている。
【００７３】
発振器７１及び８１で測定用信号を生成し、オシロスコープ７４及び８４で測定用アナログ信号を送信してから、相手の測定用アナログ信号を受信する迄の時間を計測する。二つの伝送路を有しており、公衆回線網に対するものと、ＩＰネットワークに対するものとを、切り分けることができる。
【００７４】
図１２に本実施例における測定装置の回路の例を示す。図１２の測定装置の回路は、発振器９０、増幅器（ＡＭＰ）９１及び９２、オシロスコープ９３、変成器９４〜９８及びスイッチ１０１〜１０４から構成されている。
【００７５】
図１２の測定装置の回路において、発振器９０で発生された測定用信号である正弦波信号は、スイッチ１０１を閉じることにより、変成器９６を介して、Ｌｃｈ上で送信される。同様に、発振器７１で発生された測定用信号である正弦波信号は、スイッチ１０２を閉じることにより、変成器９５を介して、Ｒｃｈ上で送信される。
【００７６】
また、変成器９７を介して、Ｌｃｈ上で受信された信号は、スイッチ１０４を下方の接点Ｘに接続することにより、オシロスコープのＬｃｈ端子に供給される。同様に、変成器９８を介して、Ｒｃｈ上で受信された信号は、スイッチ１０３を下方の接点Ｘに接続することにより、オシロスコープのＲｃｈ端子に供給される。
【００７７】
Ｌｃｈ上で送信された信号は、スイッチ１０４を上方の接点Ｙに接続することにより、折り返されて、オシロスコープのＬｃｈ端子に供給される。同様に、Ｒｃｈ上で送信された信号は、スイッチ１０３を上方の接点Ｙに接続することにより、折り返されて、オシロスコープのＲｃｈ端子に供給される。
（実施例１の測定装置）
図１２の測定装置の回路の使用例を説明する。
【００７８】
実施例１における電話機１６側における設定は、スイッチ１０１を閉じて、Ｌｃｈ上の測定用信号を、電話機１９側に送信する。また、スイッチ１０４を上方の接点Ｙに接続することにより、Ｌｃｈ上の測定用信号を折り返して、オシロスコープのＬｃｈ端子に供給する。また、スイッチ１０２を開いて、Ｒｃｈ上の測定用信号は送信しない。また、スイッチ１０３を下方の接点Ｘに接続することにより、Ｒｃｈ上の電話機１９側の測定用信号を受信して、オシロスコープのＲｃｈ端子に供給する。
【００７９】
なお、発振器９０として、ＰＣ（ＰＥＲＳＯＮＡＬ  ＣＯＭＰＵＴＥＲ）が発生した１ＫＨｚのトーンバースト波形（１：９９９／正弦波）を用いることができる。
【００８０】
オシロスコープ９３では、送信されたＬｃｈ上の測定用信号、折り返されたＬｃｈ上の測定用信号及び受信したＲｃｈ上の測定用信号を同時に表示し、折り返されたＬｃｈ上の測定用信号及び受信したＲｃｈ上の測定用信号の位相差に基づいて、目視で、測定用アナログ信号を送信してから、相手の測定用アナログ信号を受信する迄の時間を計測する。
【００８１】
実施例１における電話機１９側における設定は、スイッチ１０１を開いて、Ｌｃｈ上の測定用信号は送信しない。また、スイッチ１０４を下方の接点Ｘに接続することにより、Ｌｃｈ上の測定用信号を受信して、オシロスコープのＬｃｈ端子に供給する。また、スイッチ１０２を閉じて、Ｒｃｈ上の測定用信号を、電話機１６側に送信する。また、スイッチ１０３を上方の接点Ｙに接続することにより、Ｒｃｈ上の電話機１９側の測定用信号を折り返して、オシロスコープのＲｃｈ端子に供給する。
【００８２】
オシロスコープ９３では、送信されたＲｃｈ上の測定用信号、折り返されたＲｃｈ上の測定用信号及び受信したＬｃｈ上の測定用信号を同時に表示し、折り返されたＲｃｈ上の測定用信号及び受信したＬｃｈ上の測定用信号の位相差に基づいて、目視で、測定用アナログ信号を送信してから、相手の測定用アナログ信号を受信する迄の時間を計測する。
【００８３】
また、実施例２及び実施例３における設定も、測定用信号の伝送される回線が異なるだけで、上記電話機１６側及び電話機１９側における設定に準じて設定することができる。
【００８４】
【発明の効果】
上述の如く本発明によれば、一方の装置が他方の装置に依存して片道遅延時間の測定がなされることがなく、音声コーデックにおける伝送遅延を含んだエンド・エンド間の片道遅延時間測定方法及び片道遅延時間測定装置を提供することができる。
【００８５】
【図面の簡単な説明】
【図１】ＩＰ電話システムの構成例を説明するための図である。
【図２】ＩＰ電話の品質クラスを説明するための図である。
【図３】従来における片道遅延時間を測定する方法を説明するための図（その１）である。
【図４】従来における片道遅延時間を測定する方法を説明するための図（その２）である。
【図５】実施例１の測定方法が適用されるシステムである。
【図６】実施例１における測定原理を説明するための図である。
【図７】実施例２の測定方法が適用されるシステムである。
【図８】実施例２における測定原理を説明するための図である。
【図９】実施例３の測定方法が適用されるシステムである。
【図１０】実施例３における測定原理を説明するための図である。
【図１１】測定装置のブロック図の例を説明するための図である。
【図１２】測定装置の回路の例を説明するための図である。
【符号の説明】
１、１１、１６、１９、４１、５１    電話機
２、１２    ＦＡＸ
３、９、１７、１８、４２、５２    宅内交換機（ＰＢＸ）
４、８、４３、５３    ＶｏＩＰ
５、７、４４、５４    ルータ
１０、６０    ＩＰネットワーク
１５    公衆網
４０    拠点Ａ側装置
５０    拠点Ｂ側装置
７１、８１、９０    発振器
７２、７５、８２、８５    送話回路
７３、７６、８３、８６    受話回路
７４、８４、９３    オシロスコープ
９１、９２    増幅器（ＡＭＰ）
９４、９５、９６、９７、９８    変成器
１０１、１０２、１０３、１０４    スイッチ
【図１】
2004221764.tif 000003
【図２】
2004221764.tif 000004
【図３】
2004221764.tif 000005
【図４】
2004221764.tif 000006
【図５】
2004221764.tif 000007
【図６】
2004221764.tif 000008
【図７】
2004221764.tif 000009
【図８】
2004221764.tif 000010
【図９】
2004221764.tif 000011
【図１０】
2004221764.tif 000012
【図１１】
2004221764.tif 000013
【図１２】
2004221764.tif 000014